(57)【要約】【課題】断熱箱体における幅狭部や扉の突出部にも真空断熱材を効率的に配置できる断熱性能の高い冷蔵庫を提供する。【解決手段】この冷蔵庫本体１０は、断熱箱体２４内に仕切断熱壁２１、２３により冷凍温度帯室及び冷蔵温度帯室（各貯蔵室）を区画形成し、断熱箱体２４の前面に設けられた開口部を開操作・閉操作に応じて露呈・閉塞する各扉１６ａ、１６ｂ、１７ａ、１７ｂ、１８、１９を備える。断熱箱体２４における開口部周囲の側壁、扉壁、及び仕切断熱壁２１、２３を含む断熱壁内には、単体形状が幅狭な幅狭タイプ、並びに幅広な幅広タイプに区別される真空断熱材２７ａ、（２７ｂ）、２７ｃ、２７ｄが選択的に配置されている。断熱箱体２４における側壁の端面に対して閉操作時に当接される扉１６ａ、１６ｂの開閉端側の突出部近傍の当接面にパッキン２０が設けられ、突出部内に幅狭タイプの真空断熱材が配置されている。【選択図】図２
2014047938.tif 000002
【特許請求の範囲】
【請求項１】
断熱箱体内に仕切断熱壁により冷凍温度帯室及び冷蔵温度帯室を区画形成した本体と、前記断熱箱体の前面に設けられた開口部を開操作・閉操作に応じて露呈・閉塞する扉と、備えた冷蔵庫において、
前記断熱箱体における前記開口部周囲の側壁、前記扉壁、当該開口部に対向する背面壁、及び前記仕切断熱壁を含む断熱壁内には、真空断熱材が配置されており、
前記断熱箱体における前記側壁の端面に対して閉操作時に当接される前記扉の開閉端側の突出部近傍の当接面には、前記真空断熱材と協働して冷気の漏れを防ぐパッキンが設けられ、
前記扉壁の前記突出部内に前記真空断熱材が配置されたことを特徴とする冷蔵庫。
【請求項２】
請求項１記載の冷蔵庫において、前記真空断熱材は、保護部材で保護されて配置されたことを特徴とする冷蔵庫。
【請求項３】
請求項１又は２記載の冷蔵庫において、前記断熱壁内では、前記真空断熱材を外側に配置していると共に、内側には当該真空断熱材とは材質が異なる硬質断熱材を充填して配置し、前記断熱壁には、前記硬質断熱材の充填時に発生するガスを逃がすためのガス抜き穴が設けられており、前記真空断熱材は、前記ガス抜き穴を塞がない位置に配置されたことを特徴とする冷蔵庫。
【請求項４】
請求項３記載の冷蔵庫において、前記真空断熱材の位置決めは、前記断熱壁の壁面の凹凸形状を利用して行われるか、或いは当該真空断熱材又は当該壁面に対して前記ガス抜き穴を塞がないように設けた位置決め用部材を利用して行われたことを特徴とする冷蔵庫。
【発明の詳細な説明】
【技術分野】
【０００１】
本発明は、食品や飲料水等を冷蔵又は冷凍して貯留する冷蔵庫に係り、詳しくは本体における扉の断熱性能や幅狭部の断熱性能を向上させた冷蔵庫に関する。
【背景技術】
【０００２】
近年、地球温暖化を防止するための社会的な取り組みとして、二酸化炭素（ＣＯ２）の排出抑制を図るため、様々な分野で省エネルギー化が推進されている。そこで、昨今の電気製品、特に冷熱関連（熱交換関連）の家電製品である冷蔵庫においても、消費電力量を低減化する観点から断熱性能を向上したものが主流になっている。断熱性能の向上を図るためには、気密性が高く庫内の冷気が外部に逃げない構造とすることが不可欠である。ここで、冷気が外部に逃げることは、冷気そのものが外部に漏れることの他、伝熱によって庫内の冷気温度が外部に伝わることも意味している。
【０００３】
一般的な冷蔵庫は、本体の断熱箱体と、その断熱箱体内に設けられる冷凍温度帯室及び冷蔵温度帯室から成る貯蔵室の前面側の開口部を開閉する扉と、を備えて構成される。係る冷蔵庫において、庫内冷気が外部に逃げないようにするためには、断熱箱体と扉とが重なり合う開口部の断熱性能を改善することが有効である。このために断熱箱体では、その側面に埋設する真空断熱材をなるべく開口部側に近づけるように工夫を凝らしており、開口部付近から洩れる熱を少なくしている。
【０００４】
ところが、冷蔵庫では、基本構造上で開口部付近の側面の壁厚がそもそも薄いため、真空断熱材を開口部に近付けて埋設するには限界がある。そこで、こうした問題を解決するための技術も提案されており、例えば「真空断熱材固定構造」（特許文献１参照）では、扉における突出部には発泡断熱材（硬質なウレタンフォーム）を注入し、平面部には真空断熱材及び発泡断熱材（硬質なウレタンフォーム）を配置している。こうした構成により、断熱性能を向上させて扉からの洩れる熱を少なくできると共に、断熱箱体内の収納容器の容量を増やすことができるようにしている。
【先行技術文献】
【特許文献】
【０００５】
【特許文献１】実開昭５９−１２０８９５号公報
【発明の概要】
【発明が解決しようとする課題】
【０００６】
上述した特許文献１の技術によれば、扉の平面部における庫内側を真空断熱材で覆っているために平面部からの漏れる熱の量を少なくできる効果があるものの、平面部に真空断熱材を配置しただけでは確かに平面部における断熱性能を向上させることはできても、発泡断熱材による突出部の断熱性能が優れないため、突出部から熱が逃げてしまい、結果として十分な断熱性能が得られないという問題がある。また、ここで用いられている真空断熱材は、断熱箱体における幅狭部や扉の突出部に充填しようとしても、その充填スペースが細くて狭い形状であるために配置し難いという問題もある。
【０００７】
要するに、周知の真空断熱材固定構造では、冷蔵庫の断熱箱体における幅狭部や扉の突出部を対象にすると、真空断熱材を充填性良く配置し、効率的に埋設することができないため、係る要望を具現できる手法が求められている。
【０００８】
本発明は、このような問題点を解決すべくなされたもので、その技術的課題は、断熱箱体における幅狭部や扉の突出部にも真空断熱材を効率的に配置できる断熱性能の高い冷蔵庫を提供することにある。
【課題を解決するための手段】
【０００９】
上記技術的課題を解決するため、本発明は、断熱箱体内に仕切断熱壁により冷凍温度帯室及び冷蔵温度帯室を区画形成した本体と、断熱箱体の前面に設けられた開口部を開操作・閉操作に応じて露呈・閉塞する扉と、備えた冷蔵庫において、断熱箱体における開口部周囲の側壁、扉壁、当該開口部に対向する背面壁、及び仕切断熱壁を含む断熱壁内には、真空断熱材が配置されており、断熱箱体における側壁の端面に対して閉操作時に当接される扉の開閉端側の突出部近傍の当接面には、真空断熱材と協働して冷気の漏れを防ぐパッキンが設けられ、扉壁の前記突出部内に真空断熱材が配置されたことを特徴とする。
【発明の効果】
【００１０】
本発明によれば、断熱箱体の断熱壁内の幅狭部や扉の突出部にも真空断熱材を効率的に配置できる断熱性能の高い冷蔵庫を提供することができる。
【図面の簡単な説明】
【００１１】
【図１】本発明の冷蔵庫の基本構成に係る冷蔵庫本体を正面方向から示した外観図である。
【図２】図１に示す冷蔵庫本体のＸ−Ｘ方向における庫内構造を示した側面断面図である。
【図３】図２に示される本発明の冷蔵庫本体の断熱構造に適用される実施例１に係る仕切断熱壁周辺の細部構造を示した拡大図である。
【図４】図２に示される本発明の冷蔵庫本体の断熱構造に適用される実施例１に係る仕切部材の細部構成を示した斜視図である。
【図５】図２に示される本発明の冷蔵庫本体の断熱構造に適用される実施例１に係る断熱壁内に充填される仕切真空断熱材を保護部材で覆った様子を示した斜視図である。
【図６】図２に示される本発明の冷蔵庫本体の断熱構造に適用される実施例２に係る断熱壁に含まれる扉壁の開閉端側における側壁の端面に対する当接面周辺の細部構造を拡大して示した図である。
【発明を実施するための形態】
【００１２】
以下に、本発明の冷蔵庫について、図面を参照して詳細に説明する。最初に、本発明の冷蔵庫の技術的概要を説明する。本発明の冷蔵庫は、冷蔵庫本体の断熱箱体における断熱壁の幅狭部に断熱性能の低い発泡ポリスチレンに代えて、断熱性能の高い真空断熱材を使用して充填可能とすることにより、庫内外からの熱移動を抑制でき、幅狭部から冷蔵庫外部に漏れる熱を可及的に少なくできる構成を提供するものである。ここでの幅狭部に充填する断熱材としては、単体形状が幅狭な幅狭タイプの真空断熱材を単独的に使用するか、或いは硬質断熱材である発泡ポリスチレンや発泡断熱材（硬質なウレタンフォーム）と組み合わせて使用して幅狭部の断熱壁内に充填するものである。因みに、本発明の冷蔵庫は、以下に説明する形態のもの（各実施例）に限定されず、冷蔵庫本体１０の細部構造が異なる場合にも技術的な概念を適用できれば、種々変形例や応用例についても技術的範囲内に含むものである。
【００１３】
図１は、本発明の冷蔵庫の基本構成に係る冷蔵庫本体１０を正面方向から示した外観図である。図２は、冷蔵庫本体１０のＸ−Ｘ方向における庫内構造を示した側面断面図である。
【００１４】
この冷蔵庫本体１０は、図２を参照すれば、断熱箱体２４により庫内を区分けして設けられた複数の貯蔵室として、上方から冷蔵室１１、製氷室１２ａ、上段冷凍室１２ｂ、下段冷凍室１２、及び野菜室１３を有する構成となっている。このうち、冷蔵室１１及び野菜室１３は冷蔵温度帯室、製氷室１２ａ、上段冷凍室１２ｂ、及び下段冷凍室１２は冷凍温度帯室と呼ばれる。尚、各貯蔵室の配置については特にこれに限定されるものではない。
【００１５】
また、冷蔵庫本体１０は、図１を参照すれば、各貯蔵室の前面側開口部が扉によって開閉可能に構成されており、冷蔵室１１は扉用上ヒンジ１５を中心に回動して前方側に左右に分割された観音開の冷蔵室扉１６ａ、１６ｂを備え、製氷室１２ａ、上段冷凍室１２ｂ、下段冷凍室１２、及び野菜室１３は、それぞれ引き出し式の製氷室扉１７ａ、上段冷凍室扉１７ｂ、下段冷凍室扉１８、及び野菜室扉１９を備えている。以下では、これらの冷蔵室扉１６ａ、１６ｂと製氷室扉１７ａ、上段冷凍室扉１７ｂ、下段冷凍室扉１８、及び野菜室扉１９とを単に扉として略称する。引き出し式の各扉１７ａ、１７ｂ、１８、１９を引き出すと、各貯蔵室を構成する容器が扉と共に引き出される構造となっている。尚、各扉１６ａ、１６ｂ、１７ａ、１７ｂ、１８、１９についても、回動による開閉や引き出し式の開閉、並びに扉分割数等の構造は例示したものに限定されない。
【００１６】
各扉１６ａ、１６ｂ、１７ａ、１７ｂ、１８、１９の貯蔵室側面の外周縁付近には、冷蔵庫本体１０を密閉するために内部に永久磁石を埋設したパッキン２０が取り付けられている。また、冷蔵室１１と製氷室１２ａ及び上段冷凍室１２ｂとの間を区画して断熱するために配置された仕切断熱壁２１は、厚さ３０〜５０mm程度の断熱壁となるもので、断熱壁内に発泡ポリスチレン３２及び真空断熱材２７ｅを充填して配置することにより作製されている。製氷室１２ａ及び上段冷凍室１２ｂと下段冷凍室１２との間は、制御温度帯が同じであるため、区画して断熱するための仕切断熱壁ではなく、パッキン２０の受面を形成した仕切部材２２が設けられている。下段冷凍室１２と野菜室１３との間を区画して断熱するために配置された仕切断熱壁２３は、仕切断熱壁２１の場合と同様に３０〜５０mm程度の断熱壁となるもので、発泡ポリスチレン３２及び真空断熱材２７ｅを充填して配置することにより作製されている。但し、仕切断熱壁２１、２２については、その他に発泡断熱材（硬質なウレタンフォーム）等を充填しても良く、基本構造上では断熱壁内に発泡ポリスチレン３２、発泡断熱材（硬質なウレタンフォーム）、真空断熱材２７ｅ等をそれぞれ単独で使用するか、或いは複数材を組み合わせて充填して作製すれば良いため、開示したものに限定されない。
【００１７】
冷蔵庫本体１０を構成する断熱箱体２４は、外箱２５と内箱２６とを備え、外箱２５及び内箱２６によって形成される空間に断熱部を設けて断熱箱体２４内の各貯蔵室と外部とを断熱している。具体的に云えば、外箱２５及び内箱２６の間の空間に真空断熱材２７ａ、２７ｂ、２７ｃ、２７ｄ（真空断熱材２７ｂについては後述する図６に示される断熱箱体２４における開口部周囲の側壁中に存在する）を配置し、これらの真空断熱材２７ａ、２７ｂ、２７ｃ、２７ｄ以外の空間には硬質なウレタンフォーム等の発泡断熱材２４ａを充填している。即ち、図２に示されるように断熱箱体２４における断熱壁内では、真空断熱材２７ａ、２７ｂ、２７ｃ、２７ｄを外側に配置していると共に、内側にはこれらと異なる材質の硬質断熱材を充填して配置している。
【００１８】
更に、冷蔵庫本体１０の各貯蔵室を所定の温度に冷却するため、下段冷凍室１２の背側には冷却器２８が備えられており、この冷却器２８には圧縮機２９や凝縮機３０の他、略図するキャピラリーチューブが接続されて冷凍サイクルを構成する。冷却器２８の上方には冷却器２８により冷却された冷気を庫内に循環して所定の低温温度を保持するための送風機３１が配設されている。
【００１９】
加えて、断熱箱体２４の頂面後方部には冷蔵庫本体１０の運転を制御するための基板や電源基板等を含む電気部品３３を備えた制御装置を収納するための収納凹部３４が形成されており、これに電気部品３３を覆うためのカバー３５が設けられている。カバー３５の高さは外観意匠性と内容積確保とを考慮して外箱２５の頂面とほぼ同じ高さになるように配置されるが、必ずしも係る構成に限定されない。但し、カバー３５の高さが外箱２５の頂面よりも突き出る場合には１０ｍｍ以内の範囲に収めることが望ましい。これに伴って、収納凹部３４は発泡断熱材２４ａ側に電気部品３３を収納する空間だけ窪んだ状態で配置されるので、断熱の厚さを確保するために必然的に内容積が犠牲になってしまう。逆に内容積をより大きくとると収納凹部３４と内箱２６との間の発泡断熱材２４ａの厚さが薄くなってしまうので、こうした場合には図２に示されるように収納凹部３４の発泡断熱材２４ａ中に真空断熱材２７ａを配置することにより、断熱性能を確保（強化）する。
【００２０】
図２に示す例では、真空断熱材２７ａを庫内灯のケース及び電気部品３３に跨るように略Ｚ形状に成形した１枚で配備している。尚、カバー３５は耐熱性を考慮して鋼板製としている。また、断熱箱体２４の背面下部に配置された圧縮機２９や凝縮機３０は発熱量の大きい部品であるため、庫内への熱侵入を防止するため、内箱２６側への投影面に真空断熱材２７ｄを配置している。
【００２１】
本発明の冷蔵庫本体１０では、断熱箱体２４内に仕切断熱壁２１、２３により冷凍温度帯室及び冷蔵温度帯室（各貯蔵室）を区画形成し、断熱箱体２４の前面に設けられた開口部を開操作・閉操作に応じて露呈・閉塞する各扉１６ａ、１６ｂ、１７ａ、１７ｂ、１８、１９を備えるもので、断熱箱体２４における開口部周囲の側壁、扉壁、開口部に対向する背面壁、及び仕切断熱壁２１、２３を含む断熱壁内には、単体形状が短辺長７０ｍｍ以下の幅狭な幅狭タイプ、並びに幅広な幅広タイプに区別される真空断熱材２７ａ、２７ｂ、２７ｃ、２７ｄ、２７ｅが選択的に充填されて配置されている。
【００２２】
そこで、以下は、上述した冷蔵庫本体１０の断熱構造に係る幾つかの実施例を挙げ、具体的に説明する。
【実施例１】
【００２３】
図３は、本発明の冷蔵庫本体１０の断熱構造に適用される実施例１に係る仕切断熱壁２１周辺の細部構造を示した拡大図である。図３では、冷蔵庫本体１０の断熱箱体２４における幅狭部の断熱構造の一例として仕切断熱壁２１の開口付近を拡大して示している。断熱箱体２４の開口部に位置する仕切断熱壁２１は、その端側部分の細部構成が鋼板２１ａ内に放熱パイプ４０が配備されると共に、発泡ポリスチレンの断熱材２１ｂが充填された構造であり、更にその延在部分に単体形状が短辺長７０ｍｍ以下の幅狭な幅狭タイプの真空断熱材２７ｅ、及び発泡ポリスチレンの断熱材２１ｂが充填された構造となっている。尚、上述した仕切断熱２３についても、同様な構造となっている。因みに、仕切断熱壁２１、２３の断熱構造としては、その他に発泡断熱材（硬質なウレタンフォーム）を適用することができる他、各部材を単独又は組み合わせて形成することが可能である。但し、ここでは幅狭タイプの真空断熱材２７ｅについては必備であるとする。
【００２４】
図４は、本発明の冷蔵庫本体１０の断熱構造に適用される実施例１に係る仕切部材２２の細部構成を示した斜視図である。図４では、冷蔵庫本体１０の断熱箱体２４における幅狭部の断熱構造の他例として仕切部材２２の開口付近を拡大して示している。断熱箱体２４の開口部に位置する仕切部材２２は、その細部構成が仕切断熱壁２１、２３の場合と同様な構造である他、開口部の壁内には倒れ防止と位置決めとを兼用したリブ２２ａが設けられている。
【００２５】
仕切断熱壁２１、２３や仕切部材２２の開口部では、庫内の熱が庫外に移動したり、放熱パイプ４０の熱が熱伝達により庫内に侵入したりして熱の移動が多い。この熱の移動を抑制するため、仕切断熱壁２１、２３や仕切部材２２と対向する扉面間の距離を小さくしたり、或いは貯蔵室の壁面と対向する扉面間の距離を極力小さくする等により、熱の漏洩の低減を図っている。また、放熱パイプ４０の熱は鋼板２１ａに伝わることで鋼板２１ａの結露防止が図られると共に、庫内への熱侵入が軽減される。仕切断熱壁２１、２３や仕切部材２２の開口部高さとしては、３０〜５０mm程度とする場合を例示できる。
【００２６】
更に、熱漏洩を低減化するに際して、断熱箱体２４の開口部に位置する仕切断熱壁２１、２３や仕切部材２２の開口部に使用している発泡ポリスチレンの断熱材２１ｂのみではなく、上述した真空断熱材２７ｅと同様な幅狭タイプの仕切真空断熱材と発泡ポリスチレンの断熱材２１ｂとの組み合わせ、或いは仕切真空断熱材と発泡断熱材（硬質なウレタンフォーム）との組み合わせに置き換えることにより、熱漏洩量の低減化を図ることができる。この際、仕切真空断熱材については垂直又は立てた状態に配置することが望ましい。仕切真空断熱材を配置すれば、放熱パイプ４０の熱をより庫内に移動することを防げることができるため、庫内冷却時間を短くすることができる等、消費電力量の低減を図る上で有効となる。
【００２７】
図５は、本発明の冷蔵庫本体１０の断熱構造に適用される実施例１に係る断熱壁内に充填される仕切真空断熱材４１を保護部材４２で覆った様子を示した斜視図である。図５では、仕切真空断熱材４１を垂直に立てた状態に配置し、その一部を保護部材４２で覆った様子を示している。
【００２８】
この保護部材４２は、図４に示したように仕切部材２２の開口部の壁内に該当する部分にリブ２２ａが設けられており、仕切真空断熱材４１をそのまま開口部に嵌め込むとその外包材がリブ２２ａにより傷付けられて真空性を保持することが困難になってしまうため、それを防止するために用いるものである。リブ２２ａのような仕切真空断熱材４１の外包材を傷付ける箇所がない場合には、仕切真空断熱材４１をそのまま開口部に配置しても良い。ここで、仕切真空段熱材４１の高さを小さくしてリブ２２ａに触れないようにして充填することは可能であるが、仕切真空段熱材４１の高さを小さくしてしまうと断熱効果が減少してしまう。そこで、仕切真空断熱材４１を保護部材４２等で保護すれば、リブ２２ａにより外包材が傷付けられることがないので、真空性を保持することができる。保護部材４２は、図５に示したように仕切真空断熱材４１の一部を覆う他、全体を覆うようにしても良い。保護部材４２が柔らかければ、リブ２２ａの形状に習って変形するので、部材間の隙間を少なくすることができる他、仕切真空断熱材４１を小さく変形させることがないため、熱漏洩量の低減化を図ることができる。
【００２９】
このように仕切真空断熱材４１を必要に応じて保護部材４２で覆って開口部に充填する手法は、仕切断熱壁２１、２３の開口部についても同様に適用できるもので、真空断熱材２７ｅを保護部材４２で覆うことが有効となる場合がある。何れにしても、真空断熱材２７ｅや仕切真空断熱材４１の位置決めは、断熱壁の壁面の凹凸形状を利用して行われる。
【００３０】
何れにせよ、実施例１に係る冷蔵庫本体１０の断熱構造では、断熱性能が大きい真空断熱材２７ｅ、仕切真空断熱材４１を断熱箱体２４における断熱壁内の幅狭部に埋設することにより、庫内から庫外に向かう熱の移動を抑制でき、幅狭部から庫外に漏れる熱を可及的に少なくすることができる。
【実施例２】
【００３１】
図６は、本発明の冷蔵庫本体１０の断熱構造に適用される実施例２に係る断熱壁に含まれる扉壁１６ｂの開閉端側における側壁の端面に対する当接面周辺の細部構造を拡大して示した図である。図６では、冷蔵庫本体１０の断熱箱体２４における幅狭部の断熱構造の別例として扉１６ｂ周辺の要部を拡大して示している。断熱箱体２４における側壁の端面に対して閉操作時に当接される扉１６ｂの開閉端側の突出部３８近傍の当接面には、断熱箱体２４及び扉１６ｂを密着させるため、扉１６ｂ壁の突出部３８内の外側平坦部に充填された幅狭タイプの真空断熱材５４と協働して冷気の漏れを防ぐパッキン２０が設けられている。尚、扉１６ａについても同様な構造となっている。
【００３２】
ここで、扉１６ｂの内面側で冷蔵室１１に向かって突出する突出部３８は、冷蔵室１１の壁面と微小な隙間を介して対面している。この突出部３８内には、上述したパッキン２０側に配置された真空断熱材５４の他、扉１６ｂ壁内での大部分を閉める硬質発泡断熱材（硬質なウレタンフォーム）１６ｄが充填されている。硬質発泡断熱材１６ｄは扉１６ｂの基礎断熱材を形成する主要基材である。
【００３３】
また、突出部３８には、収納容器５１を懸架するための突出リブ５２が設けられており、段違い箇所に突出リブ５２を設けることにより収納容器５１の高さを変えることができる構造となっている。突出部３８の高さは、内容積低減の度合いや意匠性を考慮して７０mm以下とするのが一般的である。ここで、突出部３８の高さを部分的に低くして凹部を設ければ、収納容器５１に収納した貯蔵物の取出し性を向上させることができる。
【００３４】
突出部３８や突出リブ５２には、硬質発泡断熱材１６ｄを充填するのに必要なガス抜き穴５３が穿孔されており、これによって硬質発泡断熱材１６ｄの充填をスムーズに行うことができる。ガス抜き穴５３は、穿孔成形時に貯蔵室側となる面から硬質発泡断熱材１６ｄ側に幾分バリが突出するように穿孔されている。
【００３５】
密閉性を高めるために内部に永久磁石を埋設したパッキン２０は、断熱性能が低いため、断熱箱体２４と扉１６ｂとの間の隙間が大きいとパッキン２０自体から熱が移動して断熱性能が低下してしまうが、パッキン２０をより外側に配置すれば断熱箱体２４からの熱伝達を抑制することができる。更に、パッキン２０の外気に暴露される面積を少なくすれば放熱を抑制することができ、熱の移動の少ない扉１６ｂにすることができる。
【００３６】
実施例２では、冷蔵室１１の扉１６ａ、１６ｂの平面部や突出部３８内に真空断熱材を収納しており、特に突出部３８の外側の平面部に沿って真空断熱材５４を配置した点を特徴としている。真空断熱材５４は、発泡断熱材１６ｄよりも断熱性能が優れており、断熱効果が高い機能を有している。また、突出部３８の内側には収納容器５１等を懸架するための突出リブ５２が設けられているが、突出リブ５２が形成される貯蔵室側内板の強度だけでは足りないため、発泡断熱材１６ｄを充填して強度を確保している。即ち、扉１６ａ、１６ｂの突出部３８は真空断熱材５４を外側に配置し、それを覆うように発泡断熱材１６ｄを配置することにより、突出リブ５２の強度を保ちながら断熱性の高い突出部３８の形成を可能にしている。
【００３７】
突出部３８には発泡断熱材１６ｄを充填するのに必要なガス抜き穴５３を設けているため、真空断熱材５４を配置する際にはガス抜き穴５３を塞がないようにし、ガス抜き穴５３の位置を発泡断熱材１６ｄの断熱厚の中央等に配置されるように工夫する必要がある。
【００３８】
また、ガス抜き穴５３は、使用者が手を触れても怪我をしないように発泡断熱材１６ｄ側にバリが形成されるように穿孔されているため、真空断熱材５４を配置する際にはバリに触れて損傷によるリーク（漏れ）が生じないように注意を払う必要がある。
【００３９】
因みに、上述したようにガス抜き穴５３の位置を工夫して真空断熱材５４を配置し易くする手法も有効であるが、別の手法としてガス抜き穴５３に対向する真空断熱材５４の位置を保護部材で保護することも有効である。
【００４０】
真空断熱材５４の位置決めは、断熱壁の壁面の凹凸形状を利用して突出部３８の先端部に合わせるか、突出部３８の一部に収納容器３８から収納物を取り出し易くするために設けられた凹形状凹形状部を利用して行うことができる他、真空断熱材５４に位置決め用部材を付けて位置決めするか、或いは突出部３８の壁面に位置決め用部材を配置して行うことができる。位置決め用部材を使用する場合には、ガス抜き穴５３を塞がない位置に配置するか、或いは形状的に塞がないように配慮すれば良い。
【００４１】
要するに、真空断熱材５４の位置決めは、断熱壁である突出部３８の壁面の凹凸形状を利用して行われるか、或いは真空断熱材５４又は突出部３８の壁面に対してガス抜き穴５３を塞がないように設けた位置決め用部材を利用して行われることが望ましい。
【００４２】
何れにせよ、実施例２に係る冷蔵庫本体１０の断熱構造では、断熱性能が大きい真空断熱材５４を断熱箱体２４における扉１６ａ、１６ｂの幅狭部である突出部３８に埋設することにより、庫内から庫外に向かう熱の移動を抑制でき、幅狭部から庫外に漏れる熱を可及的に少なくすることができる。
【符号の説明】
【００４３】
１０  冷蔵庫本体
１１  冷蔵室
１２ａ  製氷室
１２ｂ  上段冷凍室
１３  下段冷凍室
１４  野菜室
１５  扉用上ヒンジ
１６ａ  冷蔵室扉
１６ｂ  冷蔵室扉
１６ｄ  硬質発泡断熱材
１７ａ  製氷室扉
１７ｂ  上段冷凍室扉
１８  下段冷凍室扉
１９  野菜室扉
２０  パッキン
２１、２３  仕切断熱壁
２２  仕切部材
２２ａ  リブ
２４  断熱箱体
２４ａ  発泡断熱材
２５  外箱
２６  内箱
２７ａ、２７ｂ、２７ｃ、２７ｄ、２７ｅ、５４  真空断熱材
３２  発泡ポリスチレン
４０  放熱パイプ
４１  仕切真空断熱材
４２  保護部材
５１  収納容器
５２  突出リブ
５３  ガス抜き穴
５３ａ  ガス抜き穴バリ
【図１】
2014047938.tif 000003
【図２】
2014047938.tif 000004
【図３】
2014047938.tif 000005
【図４】
2014047938.tif 000006
【図５】
2014047938.tif 000007
【図６】
2014047938.tif 000008